(57)【要約】【課題】電気暖房器において転倒などによる衝撃が加わってもヒーターユニットを確実に保護することを目的とする。【解決手段】ヒータ管８内に偏平帯状のヒータ７を配置するとともに、両端部にソケット体１１を具備してヒータユニット６を構成し、ヒータ７の幅広の面が前後方向を向くようにこのヒータユニット６を器具本体３に配置させたものにあって、上記ヒータユニット６のソケット６を板ばね１８，１９で弾性的に支持するとともに、ヒータ管８が貫通する隔壁１４には孔１６を形成して、この孔１６の縁とヒータ管８との間に所定寸法の遊び空間２０を設定したもので、板ばね１８，１９の弾性的支持でヒータ７の損傷をなくし、また隔壁１４によるヒータ管８の破損をも防いだものである。【選択図】図２
2007010165.tif 000002
【特許請求の範囲】
【請求項１】
ヒータ管内に偏平帯状の電気ヒータを配置するとともに、両端部にソケット体を具備したヒータユニットと、幅広の面が前後方向を向くようにこのヒータユニットを装備した器具本体と、上記ヒータユニットの両ソケット体を弾性的に支持する板ばねと、ヒータユニットのヒータ管と両ソケット体の間を区画する一対の隔壁とを備え、上記各隔壁のヒータ管が貫通する部分には孔をそれぞれ形成し、これら孔の縁とヒータ管との間に所定寸法の遊び空間を設定した電気暖房器。
【請求項２】
ヒータ管の外径をＤ、遊び空間の大きさをＳとしたとき、Ｓ≧１／２Dの関係とした請求項１記載の電気暖房器。
【請求項３】
ヒータユニットは器具本体に対して縦に配置し、上下に位置する各隔壁のヒータ管が貫通する孔の径を異ならせた請求項１または２記載の電気暖房器。
【請求項４】
隔壁の孔の縁とヒータ管の間の遊び空間は前後方向で大きく設定し、前後方向の遊び空間をＳ１、ヒータ管の外径をＤとしたとき、Ｓ１≧１／２Dの関係とした請求項１記載の電気暖房器。
【請求項５】
隔壁は器具本体の内側に取着された支持板に設けられ、この支持板に板ばねを介してヒータユニットのソケット体を弾性的に保持した請求項１記載の電気暖房器。
【請求項６】
板ばねの背部に背圧付与用のクッション材を介在させた請求項５記載の電気暖房器。
【請求項７】
支持板の両端部分を器具本体に固定し、この支持板の両端部分を除く部分は器具本体と隙間を介して対峙するようにした請求項５記載の電気暖房器。
【発明の詳細な説明】
【技術分野】
【０００１】
本発明は、ヒータ管内に偏平帯状の電気ヒータを配置したヒータユニットを熱源に用いた電気暖房器に関するものである。
【背景技術】
【０００２】
炭素系抵抗ヒータのヒータユニットを熱源に採用した従来の電気暖房器にあっては、ヒータ形状が偏平で、巾広方向を正面側として器具本体に配置してある。そして、ヒータはその厚みが０．５ｍｍ程度で、密封された耐熱性熱透過ガラスなどのヒータ管内に収められている。
【０００３】
このように、この種ヒータユニットは、ヒータとして素材的に薄く、前後方向の衝撃に非常に弱いという課題を有している。
【０００４】
通常、電気暖房器に採用する際はこのことを考慮し、万一器具本体を転倒された場合でもヒータ単体が破損しないようそのユニットの設置の方法に特別な工夫が必要であった。
【０００５】
例えば、ヒータユニットの両端にセラミック製のソケットを設けて、そのソケットをバネ材からなるＵ字状ホルダーで保持し、長手方向の位置ずれを押さえてヒータ管封止部の根元の破損を防止するものが提案されている（例えば、特許文献１参照）。
【特許文献１】特許第３０７７５１１号公報
【発明の開示】
【発明が解決しようとする課題】
【０００６】
しかしながら、上記従来の構成のものでは、保持にバネ材を用いた分、転倒時の衝撃がある程度吸収されるが、ヒータユニットの振れ吸収、本体から伝わる衝撃吸収には充分ではなく、炭素系抵抗ヒータの割れが救済されるまでの効果までは至らないのが現状であった。
【０００７】
本発明は、上記従来の課題を解決するもので、万一器具を転倒させてもヒータユニット、特に、ヒータの破損がなく、堅牢で安全な暖房器具を提供することを目的としたものである。
【課題を解決するための手段】
【０００８】
前記従来の課題を解決するために、本発明の暖房器具は、ヒータ管内に偏平帯状の電気ヒータを配置するとともに、両端部にソケット体を具備したヒータユニットと、幅広の面が前後方向を向くようにこのヒータユニットを装備した器具本体と、上記ヒータユニットの両ソケット体を弾性的に支持する板ばねと、ヒータユニットのヒータ管と両ソケット体の間を区画する一対の隔壁とを備え、上記各隔壁のヒータ管が貫通する部分には孔をそれぞれ形成し、これら孔の縁とヒータ管との間に所定寸法の遊び空間を設定したものである。
【発明の効果】
【０００９】
本発明の暖房器具は、本体転倒時における衝撃力の伝達を抑制してヒータ管を保護しているので、その電気ヒータの断線事故を防ぐことができ、安全性を大いに高めることができるものである。
【発明を実施するための最良の形態】
【００１０】
第１の発明は、ヒータ管内に偏平帯状の電気ヒータを配置するとともに、両端部にソケット体を具備したヒータユニットと、幅広の面が前後方向を向くようにこのヒータユニットを装備した器具本体と、上記ヒータユニットの両ソケット体を弾性的に支持する板ばねと、ヒータユニットのヒータ管と両ソケット体の間を区画する一対の隔壁とを備え、上記各隔壁のヒータ管が貫通する部分には孔をそれぞれ形成し、これら孔の縁とヒータ管との間に所定寸法の遊び空間を設定した。
【００１１】
したがって、本体転倒時に発熱体ユニットが衝撃で振れても、ヒータ管が隔壁に当接しなくなる。
【００１２】
遊び空間の具体てきな大きさとしては、ヒータ管の外径をＤ、遊び空間の大きさをＳとしたとき、Ｓ≧１／２Dの関係とする。また、ヒータユニットは器具本体に対して縦に配置し、上下に位置する各隔壁のヒータ管が貫通する孔の径を異ならせた。
【００１３】
また、隔壁の孔の縁とヒータ管の間の遊び空間は前後方向で大きく設定することも考えられ、この場合、前後方向の遊び空間をＳ１、ヒータ管の外径をＤとしたとき、Ｓ１≧１／２Dの関係とした。
【００１４】
そして、隔壁は器具本体の内側に取着された支持板に設けられ、この支持板に板ばねを介してヒータユニットのソケット体を弾性的に保持した。
【００１５】
上記板ばねの背部に背圧付与用のクッション材を介在させることで、ソケット体の弾性的保持特性が一段と高まることとなるであろう。
【００１６】
支持板は、両端部分を器具本体に固定し、この支持板の両端部分を除く部分は器具本体と隙間を介して対峙するようにした。したがって、器具本体転倒時など衝撃が加わってもこの隙間の存在によって支持板への衝撃伝達が抑制されることとなる。
【００１７】
以下、本発明の実施の形態について、図面を参照しながら説明する。なお、この実施の形態によって本発明が限定されるものではない。
【００１８】
（実施の形態１）
図１、図２、及び図３において、頂部に操作部１を、底部に支持脚２をそれぞれ有する縦長の器具本体３は前方、および側方前部が開放されており、その開放部位に対応して熱源設置部が配置されている。
【００１９】
この熱源設置部の背部には反射板４が、前部には保護ガード５が設けられ、これらの中間部に縦長のヒータユニット６が位置させてある。
【００２０】
上記ヒータユニット６は、炭素系抵抗体からなる偏平帯状のヒータ７を耐熱性熱透過ガラスなどからなるヒータ管８に納めるとともに、上下両端部にはリード線９，１０を導出するためのセラミックなどからなるソケット１１，１２を装着した構成を採用しており、ヒータ７の幅広の面が前後方向になるように配置されるものである。
【００２１】
上記反射板４は器具本体３に取着した支持板１３に上下隔壁１４，１５を介して固定されており、またこれら上下隔壁１４，１５には先のヒータユニット６、具体的にはヒータ管８を貫通させるための孔１６，１７が形成してある。
【００２２】
上記ヒータユニット６の取付構成を述べると、支持板１３に設けた複数の板ばね１８，１９でそれらのソケット１１，１２の前後が弾性的に固定されており、また孔１６，１７
とヒータ管８との間には所定寸法の遊び空間２０，２１が設定されている。
【００２３】
遊び空間２０，２１の大きさは、ヒータ管８の外径をＤ、遊び空間２０，２１の大きさをＳとしたとき、Ｓ≧１／２Ｄの関係としてある。
【００２４】
Ｓ≧１／２Ｄに設定した理由は、器具本体３の転倒時の予想衝撃エネルギーと、ヒータユニット６の質量と、衝撃が加わった時のその振動（揺動）振幅とを考慮した結果であって、Ｓが１／２Ｄよりも小さいとヒータ管８が孔１６，１７の縁に当たる可能性があるからである。
【００２５】
また、上記支持板１３はその上下端部がビスで器具本体３の背壁に固定されているが、その中間部にあっては同器具本体３の背壁と隙間ｔをもって対峙している。
【００２６】
上記の構成において、今、器具本体３が転倒した場合に、その転倒方向が左右であれば偏平帯状のヒータ７の幅方向に荷重がかかるためにその破損事故などは発生せず、特に問題とならない。
【００２７】
しかし、転倒方向が前後、つまり偏平帯状のヒータ７の厚み方向に衝撃荷重が加わった場合、そのソケット１１，１２を前後から弾性支持する板ばね１８，１９が撓んで上記荷重を受け止め、ヒータ７への過剰荷重印加を防ぐものである。
【００２８】
また、これにより、ヒータユニット６が揺動しても孔１６，１７との間の遊び空間２０，２１がＳ≧１／２Ｄの関係に設定してあるため、ヒータ管８が孔１６，１７の縁に当たって破損するおそれはないものとなる。
【００２９】
さらに、上記衝撃荷重は支持板１３によっても緩和されるようにしてある。つまり、上記支持板１３はその上下端部がビスで器具本体３の背壁に固定されているが、その中間部にあっては同器具本体３の背壁と隙間ｔをもって対峙しているところから、衝撃荷重に対してこの支持板１３も前後に揺動する。
【００３０】
これによって、衝撃エネルギーが支持板１３の前後揺動によって吸収され、その分、ヒータユニット６への伝達を抑制できることとなる。
【００３１】
上下隔壁１４，１５に形成したヒータ管８を貫通させるための孔１６，１７は真円形であれば支障がないが、先にも述べたように、問題となるのは前後方向の衝撃であるので、例えば、前後方向が長軸となる楕円形状のものとすることも考えられる。この場合の遊び空間２０，２１とは前後方向の長軸側を指し、これをＳ１とし、ヒータ管８の外径をＤしたとき、Ｓ１≧１／２Ｄの関係としておけばよい。
【００３２】
なお、器具本体３が転倒した場合に、その衝撃は下方よりも上方側が強いことが想定される。上記想定をもとに、上方遊び空間２０を下方の遊び空間２１よりも大きくなるようにそれぞれの大きさを異ならせることも考えられるであろう。
【００３３】
また、板ばね１８，１９の変形に対して背圧となるクッション材２２，２３を付加すれば、一段と緩衝作用が高まり、ヒータユニット６への伝達をより一層抑制できる。
【産業上の利用可能性】
【００３４】
以上のように、本発明にかかる電気暖房器は、本体転倒時における衝撃力の伝達を抑制してヒータ管を保護しているので、その電気ヒータの断線事故を防ぐことができ、安全性を大いに高めることができるもので、この種ヒータを用いる機器にも適用できる。
【図面の簡単な説明】
【００３５】
【図１】本発明の実施形態１における電気暖房器の側面図
【図２】同暖房器の上側の要部断面図
【図３】同暖房器の下側の要部断面図
【符号の説明】
【００３６】
３  器具本体
６  ヒータユニット
７  ヒータ
８  ヒータ管
１１，１２  ソケット
１３  支持板
１４，１５  隔壁
１６，１７  孔
１８，１９  板ばね
２０，２１  遊び空間
２２，２３  クッション材
【図１】
2007010165.tif 000003
【図２】
2007010165.tif 000004
【図３】
2007010165.tif 000005